(57)【要約】【課題】本発明は、極めて商品価値の高い画期的な螺着体及び螺着体を回動する為のレンチ体を提供することを目的とするものである。【解決手段】レンチ体１の被嵌部２に被嵌される断面多角形状部３Ａを具備したナットやボルトなどの螺着体であって、この螺着体３の断面多角形状部３Ａの周面には前記レンチ体１の被嵌部２に設けられる係止部４に係合する係合部５が設けられたものである。【選択図】　　　　図１
2004106127.tif 000002
【特許請求の範囲】
【請求項１】
レンチ体の被嵌部に被嵌される断面多角形状部を具備したナットやボルトなどの螺着体であって、この螺着体の断面多角形状部の周面には前記レンチ体の被嵌部に設けられる係止部に係合する係合部が設けられていることを特徴とする螺着体。
【請求項２】
前記螺着体の断面多角形状部の周面に、回動方向と直交する軸線方向に長さを有する凹条部を設けて前記係合部を構成したことを特徴とする請求項１記載の螺着体。
【請求項３】
前記係合部を構成する凹条部は底部が凹湾曲した構成であることを特徴とする請求項２記載の螺着体。
【請求項４】
前記断面多角形状部の周面各辺面に前記係合部を設けたことを特徴とする請求項１〜３のいずれか１項に記載の螺着体。
【請求項５】
前記請求項１〜４のいずれか１項に記載の螺着体を回動する為のレンチ体であって、前記螺着体の断面多角形状部に設けられた係合部に係合する係止部を前記断面多角形状部に被嵌される被嵌部の内面に設けたことを特徴とするレンチ体。
【発明の詳細な説明】
【０００１】
【発明の属する技術分野】
本発明は、ナットやボルトなどの螺着体及び螺着体を回動する為のレンチ体に関するものである。
【０００２】
【従来の技術及び発明が解決しようとする課題】
ナットやボルトなどの螺着体を回動する作業、例えば自動車のタイヤ交換時に、タイヤのホイール部を止着する為の螺着体としてのナットを締め付けたり、緩めたりしようとした際、このナットを強引に回動させようとして該ナット（断面多角形状部）の角部を削ってしまう（所謂なめてしまう）事が往々に生じているが、この角部が削られてしまったナットを十分に締め付けたり緩めたりするのは至難の業であり、このような場合には専門の業者に頼らざるを得ない（ナットの角部が削れてしまい十分な締め付けが行われず、走行中にタイヤが外れるという大事故につながった事例も報告されている。）。
【０００３】
本出願人は、上述した問題点に着目し、例えばレンチ体による回動作業時に断面多角形状部の角部を削ってしまったりすることが可及的に防止され、レンチ体の回動力を確実に伝えて良好に回動させることができる極めて商品価値の高い画期的な螺着体及び螺着体を回動する為のレンチ体を開発した。
【０００４】
【課題を解決するための手段】
添付図面を参照して本発明の要旨を説明する。
【０００５】
レンチ体１の被嵌部２に被嵌される断面多角形状部３Ａを具備したナットやボルトなどの螺着体であって、この螺着体３の断面多角形状部３Ａの周面には前記レンチ体１の被嵌部２に設けられる係止部４に係合する係合部５が設けられていることを特徴とする螺着体に係るものである。
【０００６】
また、前記螺着体３の断面多角形状部３Ａの周面に、回動方向と直交する軸線方向に長さを有する凹条部５ａを設けて前記係合部５を構成したことを特徴とする請求項１記載の螺着体に係るものである。
【０００７】
また、前記係合部５を構成する凹条部５ａは底部が凹湾曲した構成であることを特徴とする請求項２記載の螺着体に係るものである。
【０００８】
また、前記断面多角形状部３Ａの周面各辺面に前記係合部５を設けたことを特徴とする請求項１〜３のいずれか１項に記載の螺着体に係るものである。
【０００９】
また、前記請求項１〜４のいずれか１項に記載の螺着体を回動する為のレンチ体であって、前記螺着体３の断面多角形状部３Ａに設けられた係合部５に係合する係止部４を前記断面多角形状部３Ａに被嵌される被嵌部２の内面に設けたことを特徴とするレンチ体に係るものである。
【００１０】
【発明の実施の形態】
好適と考える本発明の実施の形態（発明をどのように実施するか）を、図面に基づいてその作用効果を示して簡単に説明する。
【００１１】
本発明は、螺着体３を回動する作業（締め付け回動、緩め回動）に際し、螺着体３の断面多角形状部３Ａにレンチ体１の被嵌部２を被嵌させて行う。
【００１２】
この際、レンチ体１の被嵌部２に設けられる係止部４に係合する係合部５が螺着体３の断面多角形状部３Ａの周面に形成されており、この係止部４と係合部５との係合によりレンチ体１の回動力が確実に螺着体３に伝わり、断面多角形状部３Ａの角部を削ってしまう（なめてしまう）ようなことなく良好な回動が達成される。
【００１３】
具体的には、従来から提案される螺着体の角部が削られてしまうのは、もっぱらレンチ体の回動力を角部（一部分）で受ける構造だからであり、例えば度重なる使用や劣化（金属疲労）によって生じるのは勿論、螺着体の外径に合わない被嵌部のレンチ体を使用したり、或いは、螺着体に対して被嵌部が傾いた状態（完全に合致していない中途半端な状態）で被嵌されたまま回動させるなど、作業を急ぐあまり、より角部への負担が大きくなる状態で作業を行う作業者の不注意によって生じるケースも多い。
【００１４】
この点、本発明は、レンチ体１の回動力が断面多角形状部３Ａの周面に設けた係合部５に作用することで、レンチ体１の回動力は断面多角形状部３Ａの角部だけでなく周面（面）でも受けることになるから、従来のようにレンチ体の回動力が角部（一部分）だけに集中して角部が削れたり（なめたり）するようなことはなく、螺着体３全体に伝達されて確実に回動させることができることになり、しかも、この係合部５に対してレンチ体１の被嵌部２に設けられる係止部４が係合することが、螺着体３に対してレンチ体１の被嵌部２が良好な状態で被嵌されている（螺着体３を回動させるに最適な被嵌状態である）ことを意味することにもなるから、作業者は螺着体３の断面多角形状部３Ａの角部を削ってしまう心配をすることなく、常に安心して回動作業が迅速且つ良好に行えることになる。
【００１５】
また、螺着体３の断面多角形状部３Ａの周面に、回動方向と直交する軸線方向に長さを有する凹条部５ａを設けて前記係合部５を構成した場合には、レンチ体１に設けられた係止部４に点でなく線で確実に係止してレンチ体１の回動力が効率良く伝達されることになる。
【００１６】
また、係合部５を構成する凹条部５ａを底部が凹湾曲する構成とした場合には、レンチ体１の被嵌部２の係止部４に対する広い接触面積が得られ、それだけレンチ体１の回動力が効率良く伝達されることになり、しかも、製造時には極めて精度が出し易く量産性にも秀れることにもなる。
【００１７】
また、断面多角形状部３Ａの周面各辺面に係合部５を設けた場合には、より一層効率良くレンチ体１の回動力が全体に伝達されることになり、しかも、レンチ体１の被嵌部２を被嵌させる為の方向性が生じたりせず極めて作業性が良い。
【００１８】
また、螺着体３の断面多角形状部３Ａに設けられる係合部５に係合する係止部４が断面多角形状部３Ａに被嵌される被嵌部２の内面に設けた場合には、断面多角形状部３Ａの周面に係合部５が設けられた螺着体３を回動するレンチ体１として最適となる。
【００１９】
【実施例】
本発明の具体的な実施例について図面に基づいて説明する。
【００２０】
本実施例は、レンチ体１の被嵌部２に被嵌される断面多角形状部３Ａを具備したナットやボルトなどの螺着体３である。
【００２１】
具体的には、本実施例では、螺着体３として、図１に図示したように適宜な金属製の部材を形成したものであり、内方に雌ネジ孔３Ｂを有し、外方に六個の角部３ａとこの角部３ａ夫々の間に位置する六個の平坦面３ｂ（周辺面）とから成る断面六角形状部３Ａを具備したナットを採用している。尚、断面多角形状部３としては六角形状に限らず、例えば四角形状など本実施例の特性を発揮する構成であれば適宜採用するものである。
【００２２】
また、螺着体３は、その各平坦面３ｂ夫々の中央部に回動方向と直交する軸線方向に長さを有し、螺着体３の先端及び後端に開口（貫通）する凹条部５ａが設けられている。
【００２３】
この凹条部５ａは、後述するレンチ体１の被嵌部２に形成される係止部４に係合する係合部５として構成されている。
【００２４】
また、この凹条部５ａは、その底部が凹湾曲面（Ｒ面）に形成されている。これは、レンチ体１の被嵌部２の係止部４との係合が良好に行われ易くする為であるのは勿論、係止部４と係合した際に広い表面積を得て効率の良い伝達を可能とするとともに、この凹条部５ａを設けることで懸念される強度の低下も、外圧に対しては湾曲により分散させることで可及的に抑制されることになり、そして更に、製造時には極めて精度が出し易くなるから既存の製造ラインに支障を来たさず量産性の向上に貢献する。
【００２５】
図３は、螺着体３としてネジ棒３Ｃの端部に頭部としての断面六角形状部３Ａを形成したボルトを採用しており、図４〜６は、大型トラックのダブルタイヤの内輪を止める専用のナット（インターナット）を採用しており、螺着体３としてはこの他にも本実施例の特性を発揮し得る構成であれば適宜採用し得るものである。
【００２６】
また、本実施例では、前述した螺着体３が持つ機能を発揮せしめながら良好に回動する為の専用のレンチ体１を設けている。
【００２７】
具体的には、レンチ体１は内方に孔２を有するソケットレンチであり、この孔は六角形状に形成され、螺着体３に被嵌し得る被嵌部２として構成されている。
【００２８】
また、この被嵌部２を構成する６個の各内面１ａ中央部には回動方向と直交する軸線方向に長さを有する凸条部４ａが形成されており、この凸条部４ａは、被嵌部２を螺着体３の断面六角形状部３Ａに被嵌させた際、この断面六角形状部３Ａの各辺面に形成される係合部５（凹条部５ａ）に合致係合する係止部４として構成されている。尚、本実施例では、レンチ体１としてソケットレンチを図示して説明しているが、例えばスパナやモンキーレンチなど螺着体３に被嵌する被嵌部２を有するものであれば適宜採用するものである。
【００２９】
本実施例は上述のように構成したから、螺着体３を回動する作業（締め付け回動、緩め回動）に際し、レンチ体１の被嵌部２に設けられる係止部４に係合する係合部５が螺着体３の断面多角形状部３Ａの周面に形成されており、この係止部４と係合部５との係合によりレンチ体１の回動力が確実に螺着体３に伝わり、断面多角形状部３Ａの角部を削ってしまう（なめてしまう）ようなことなく良好な回動が達成される。
【００３０】
また、本実施例は、螺着体３の断面多角形状部３Ａの周面に、回動方向と直交する軸線方向に長さを有する凹条部５ａを設けて係合部５を構成したから、レンチ体１に設けられた係止部４に点でなく線で確実に係止してレンチ体１の回動力が効率良く伝達されることになる。
【００３１】
また、本実施例は、係合部５を構成する凹条部５ａを底部が凹湾曲する構成としたから、レンチ体１の被嵌部２の係止部４に対する広い接触面積が得られ、それだけレンチ体１の回動力が効率良く伝達されることになり、しかも、製造時には極めて精度が出し易く量産性にも秀れることにもなる。
【００３２】
また、本実施例は、断面多角形状部３Ａの平坦面３ｂに係合部５を設けたから、より一層効率良くレンチ体１の回動力が全体に伝達されることになり、しかも、レンチ体１の被嵌部２を被嵌させる為の方向性が生じたりせず極めて作業性が良い。
【００３３】
また、本実施例は、螺着体３の断面多角形状部３Ａに設けられる係合部５に係合する係止部４が断面多角形状部３Ａに被嵌される被嵌部２の内面１ａに設けたから、断面多角形状部３Ａの周面に係合部５が設けられた螺着体３を回動するレンチ体１として最適となる。
【００３４】
また、本実施例は、仮に係止部４の無い既存のレンチ体を使用して断面多角形状部３の角部３ａを削ってしまった場合、係止部４を具備するレンチ体１を使用すれば、回動させることができることになる。
【００３５】
また、本実施例は、係合部５が凹形状であれば既存のレンチ体１でも回動することができることになり、一方、凸形状であれば専用のレンチ体１が必要になる故に盗難防止作用が具備されることになる。
【００３６】
尚、本発明は、本実施例に限られるものではなく、各構成要件の具体的構成は適宜設計し得るものである。
【００３７】
【発明の効果】
本発明は上述のように構成したから、従来のようにレンチ体の回動力が角部だけに集中して角部が削れたりするようなことはなく、螺着体全体に伝達されて確実に回動させることができることになるなど極めて商品価値の高い画期的な螺着体となる。
【００３８】
また、請求項２記載の発明においては、より一層レンチ体の回動力が効率良く伝達されることになるなど極めて商品価値の高い画期的な螺着体となる。
【００３９】
また、請求項３記載の発明においては、より一層レンチ体の回動力が効率良く伝達されることになり、しかも、製造時には極めて精度が出し易く量産性にも秀れることにもなるなど極めて商品価値の高い画期的な螺着体となる。
【００４０】
また、請求項４記載の発明においては、より一層効率良くレンチ体の回動力が効率良く全体に伝達されることになり、しかも、レンチ体の被嵌部を被嵌させる為の方向性が生じたりせず極めて作業性が良いなど極めて商品価値の高い画期的な螺着体となる。
【００４１】
また、請求項５記載の発明においては、断面多角形状部の周面に係合部が設けられた螺着体を回動するものとして最適となるなど極めて商品価値の高い画期的な螺着体を回動する為のレンチ体となる。
【図面の簡単な説明】
【図１】本実施例を説明する斜視図である。
【図２】本実施例に係る要部を説明する断面図である。
【図３】別実施例を説明する斜視図である。
【図４】別実施例を説明する斜視図である。
【図５】別実施例を説明する正断面図である。
【図６】別実施例を説明する側面図である。
【符号の説明】
１　レンチ体
２　被嵌部
３　螺着体
３Ａ　断面多角形状部
４　係止部
５　係合部
５ａ　凹条部
【図１】
2004106127.tif 000003
【図２】
2004106127.tif 000004
【図３】
2004106127.tif 000005
【図４】
2004106127.tif 000006
【図５】
2004106127.tif 000007
【図６】
2004106127.tif 000008